(57)【要約】【課題】従来の給湯装置の前面板５１では、防雨板５２で分離された水滴が、防雨板５２と前面板５１との接合部Ｓの隙間を伝って下方に流れ、装置内部に侵入し、制御ユニット等に悪影響を与える可能性があった。【解決手段】空気通路５３の下方に位置して防雨板５２にメンテナンス開口５２１を形成し、該メンテナンス開口に前面側から蓋板５５を着脱自在に装着する。この場合、メンテナンス開口の少なくとも上縁の全体に亘って前面板５１に覆われない防雨板の露出部５２２を形成し、この露出部に、蓋板の裏面に装着したシール材５５１を密接させるようにする。【選択図】　図６
2004108669.tif 000002
【特許請求の範囲】
【請求項１】
バーナーを備えた熱交換器を内蔵する筐体の前面に、バーナーの燃焼に必要な空気を筐体内に取入れる空気取入口を設けた前面板を装着し、該前面板との間で空気取入口から取込まれた空気をバーナーに供給する空気通路を形成すると共に空気に伴って侵入した水滴を分離するように前面板の裏面に防雨板を接合した給湯装置において、
前記空気通路の下方に位置して防雨板にメンテナンス開口を形成し、前記メンテナンス開口の少なくとも上縁の全体に亘って前面板に覆われない防雨板の露出部を形成し、この露出部に、裏面にシール材を装着した蓋板を着脱自在に密接させてメンテナンス開口を前面側から閉塞するようにしたことを特徴とする給湯装置。
【請求項２】
前記蓋板を前記メンテナンス開口に装着したとき前面板と蓋板とが面一になるようにしたことを特徴とする請求項１記載の給湯装置。
【発明の詳細な説明】
【０００１】
【発明の属する技術分野】
本発明は、バーナーを設けた筐体に前面板を着脱自在に装着した給湯装置に関する。
【０００２】
【従来の技術】
従来の給湯装置では、前面側が開口した筐体にバーナーを有する熱交換器が収納され、その前面には前面板が着脱自在に装着されている。前面板には、バーナーの燃焼に必要な空気をバーナーに供給するため空気取入口が形成される。前面板に空気取入口を設けた場合、給湯装置が屋外に設置されると、雨水が給湯装置内部に侵入し、給湯装置の作動を制御する制御ユニット等に悪影響を及ぼす場合があった。
【０００３】
このため、空気取入口を設けた前面板の裏面に、この前面板との間でバーナーへの空気通路を形成すると共に該空気通路内に取込まれた空気から水滴を分離するように防雨板を接合し、内部に雨水が侵入しないようにすることが考えられている（特許文献１）。この場合、防雨板は、例えば両側面及び下面においてスポット溶接で前面板に接合されている。
【０００４】
また、前面板を取外すことなく、筐体内に設けられた制御ユニットを点検または交換できるように、前面板にはメンテナンス開口が形成され、通常、このメンテナンス開口は蓋板で覆われる。
【０００５】
この場合、図７に示すように、前面板ａに形成したメンテナンス開口ｂに蓋板ｃを装着したとき前面板ａと蓋板ｃとが面一になるように、メンテナンス開口ｂには、その周囲を全体に亘って窪ませた凹部ｄが設けられ、この凹部ｄに、裏面にシール材ｅを設けた蓋板ｃが前面側から装着される。
【０００６】
【特許文献１】特開２００１−３１７８１８号公報（例えば、特許請求の範囲の記載）
【０００７】
【発明が解決しようとする課題】
ところで、屋外に設置された給湯装置では、雨が降ると空気取入口から取込まれる空気と一緒に水滴も侵入するが、侵入した水滴は防雨板ｆで分離され、空気通路の下方で前面板ａと防雨板ｆが接合する部分Ｓへと落下する。この場合、落下した水滴は前面板ａと防雨板ｆとの接合部Ｓの僅かな隙間を伝って筐体内に流れる場合があり、制御ユニット等に悪影響を及ぼす可能性があった。
【０００９】
そこで、本発明は、上記の問題点に鑑み、空気取入口から入った水滴が筐体内に侵入することのない前面板を有する給湯装置を提供することを課題とする。
【００１０】
【課題を解決するための手段】
上記課題を解決するために、本発明の給湯装置は、バーナーを備えた熱交換器を設けた筐体の前面に、バーナーの燃焼に必要な空気を筐体内に取入れる空気取入口を設けた前面板を装着し、該前面板との間で空気取入口から取込まれた空気をバーナーに供給する空気通路を形成すると共に空気に伴って侵入した水滴を分離するように前面板の裏面に防雨板を接合した給湯装置において、前記空気通路の下方に位置して防雨板にメンテナンス開口を形成し、前記メンテナンス開口の少なくとも上縁の全体に亘って前面板に覆われない防雨板の露出部を形成し、この露出部に、裏面にシール材を装着した蓋板を着脱自在に密接させてメンテナンス開口を前面側から閉塞するようにしたことを特徴とする。
【００１１】
空気通路内に侵入した水滴は防雨板で分離されて空気通路の下方に位置する前面板と防雨板との接合部に落下し、接合部の隙間を伝って下方のメンテナンス開口側に流れる。本発明によれば、メンテナンス開口の少なくとも上縁の全体に亘って前面板に覆われない防雨板の露出部を形成し、この露出部には、蓋板に装着したシール材が密接しているので、水滴は筐体内部へ流れることができず、前面板の下縁と蓋板の上端との間の隙間を通って筐体の外部へと排出される。
【００１２】
尚、給湯装置のデザイン性を高めるため、前記蓋板を前記メンテナンス開口に装着したとき前面板と蓋板とが面一になるようにするのがよい。
【００１３】
【発明の実施の形態】
図１を参照して、１は、本発明の給湯装置である。該給湯装置１は、前面側に開口した箱状の筐体１１を有する。該筐体１１には、バーナー１２と、バーナー１２の上方に配置された熱交換器１３と、バーナー１２の下方に配置され、バーナー１２に燃焼空気を供給する燃焼ファン１４とが収納されている。
【００１４】
また、バーナー１２の燃焼に伴う燃焼排気ガスを排出するため排気筒１５が設けられ、熱交換器１３には上水を供給する給水管２と該熱交換器１３で加熱された湯水が流れる出湯管３とが接続されている。給湯装置１の作動は筐体１１内に設けた制御ユニット４によって制御される。そして、筐体１１の前面には前面板５１が着脱自在に装着される。
【００１５】
図１乃至図４を参照して、前面板５１の裏面には、屋外に設置されることを想定して防雨板５２が接合されている。この場合、前面板５１は、スチール製薄板を略長方形の皿状にプレス成形した後、仕上塗装を施したものである。前面板５１にはまた、排気筒１５が接続される排気口５１１が設けられ、排気口５１１の下方には、バーナー１３の燃焼に必要な空気を筐体１１内に取入れるため複数のスリット状の空気取入口５１２が形成されている。
【００１６】
他方、防雨板５２もまた、スチール製薄板を所定の形状にプレス成形した後、仕上塗装を施したものであり、空気取入口５１２から吸込まれた空気を一旦筐体１１の上方に案内する空気通路５３が前面板５１との間で形成されるように取付けられている。
【００１７】
雨が降っている場合、空気取入口５１２を介して空気と共に水滴も一緒に空気通路５３内に取込まれるが、防雨板５２は、空気通路５３内に取込まれた空気から水滴を分離する役割を果たす。
【００１８】
前面板５１と防雨板５２とは、前面板５１の裏面の所定の位置に防雨板５２を設置した後、スポット溶接することで接合されている。尚、空気取入口５１２から空気通路５３内に取込まれた空気を燃焼ファン１４の方へ案内すると共に、排気筒１５を伝わった水滴を受けるため、前面板５１の裏面には、空気通路５３の上方に位置して雨受板５１３が設けられている。
【００１９】
ここで、前面板５１を取り外すことなく筐体１１に設けた制御ユニット４を点検または交換できるのがよい。このため、筐体１１内での制御ユニット４の配置位置に対応して前面板５１には第１開口５１４が、防雨板５２には第２開口５２１が形成され、相対的に小面積であり、相互に重なり合ったときに内側となる防雨板５２の第２開口５２１がメンテナンス開口となる。そして、メンテナンス開口５２１は、例えば裏面にシール材５５１が装着されたスチール製の蓋板５５によって閉塞される。
【００２０】
ところで、図５及び図６に示すように、空気取入口５１２を介して取入れた空気から防雨板５２で水滴が分離されると、この水滴が、空気通路５３下方の前面板５１と防雨板５２とを接合させた接合部Ｓの僅かな隙間を伝ってメンテナンス開口５２１側へと流れる場合がある。このため、筐体１１内に水滴が侵入しないようにする必要がある。
【００２１】
本実施の形態では、防雨板５２に形成したメンテナンス開口５２１の周縁の全体に亘って前面板５１の第１開口５１４の周縁の内側に防雨板５２が露出するようにした。そして、この露出した露出部５２２に、蓋板５５の裏面の外周縁に装着されるシール材５５１が密接するようにした。
【００２２】
これにより、分離した水滴が接合部Ｓの隙間を伝って下方のメンテナンス開口５２１側へ流れても、第１開口５１４の内側に露出した露出部５２２にシール材５５１が密接しているので、水滴は筐体１１内へと流れることができず、第１開口５１４の周縁と蓋板５５の外周縁との間の隙間を通って外部へと排出される。
【００２３】
尚、蓋板５５を装着したとき前面板５１と蓋板５５とが面一になるように、防雨板５２の露出部５２２を筐体１１内方に向かって屈曲させている。また、大粒の水滴の筐体１１内への侵入を防止するように、前面板５１と防雨板５２とに、空気通路５３内に突出するように突起片を交互にそれぞれ設けてもよい。
【００２４】
【発明の効果】
以上説明したように、本発明の給湯装置では、空気取入口を介して空気通路内に取込まれた水滴が筐体内に侵入することがないという効果を奏する。
【図面の簡単な説明】
【図１】本発明の給湯装置を説明する正面図
【図２】本発明の給湯装置を説明する断面図
【図３】給湯装置の筐体の前面に装着される前面板の正面図
【図４】前面板への防雨板の接合を説明する斜視図
【図５】前面板の断面図。
【図６】図５の一部を拡大した図。
【図７】従来の前面板の一部を拡大して示す断面図
【符号の説明】
１　給湯装置
５１　前面板
５２　防雨板
５１２　空気取入口
５１４　第１開口
５２１　メンテナンス開口
５２２　露出部
５５　蓋板
５５１　シール材
【図１】
2004108669.tif 000003
【図２】
2004108669.tif 000004
【図３】
2004108669.tif 000005
【図４】
2004108669.tif 000006
【図５】
2004108669.tif 000007
【図６】
2004108669.tif 000008
【図７】
2004108669.tif 000009